(57)【特許請求の範囲】
【請求項１】
下地構造を構成する下地構成部材（３）の端部（３ａ）を建造物用構造体（４）に固定するための固定構造であって、前記下地構成部材（３）の端部（３ａ）を抱持する一対の抱持部（７ａ），（７ａ）と該抱持部（７ａ），（７ａ）を連結するとともに前記下地構成部材（３）の端部（３ａ）に対して固定される連結部（７ｂ）とからなり、前記各抱持部（７ａ）に切欠溝（８）をそれぞれ形成してなる断面コ字状の固定具本体（７）と、前記建造物用構造体（４）に対して固着され、前記切欠溝（８），（８）への挿入により前記下地構成部材（３）の端部（３ａ）を前記固定具本体（７）に押し付ける支持板（９）とによって構成したことを特徴とする下地構成部材の建造物用構造体への固定構造。
【請求項２】
前記各切欠溝（８）を、一端が開放され且つ前記連結部（７ｂ）と略平行な導入溝部（８ａ）と、該導入溝部（８ａ）に連続して前記連結部（７ｂ）側へ傾斜した傾斜溝部（８ｂ）とによって構成したことを特徴とする前記請求項１記載の下地構成部材の建造物用構造体への固定構造。
【請求項３】
前記各抱持部（７ａ）には、前記切欠溝（８）を囲む補強用ビード（１０）をそれぞれ形成したことを特徴とする前記請求項１および２のいずれか一項記載の下地構成部材の建造物用構造体への固定構造。
【請求項４】
前記下地構成部材（３）を、外壁用下地構造を構成すべく立設された多数の金属製四角筒（２），（２）・・に対して貫通した状態で固定されるフレ止め部材としたことを特徴とする前記請求項１、２および３のいずれか一項記載の下地構成部材の建造物用構造体への固定構造。
【発明の詳細な説明】
【０００１】
【発明の属する技術分野】
【０００２】
本願発明は、下地構造を構成する下地構成部材（例えば、金属製四角筒のフレ止めを行うフレ止め部材）の端部を建造物用構造体に固定するための固定構造に関するものである。
【従来の技術】
【０００３】
例えば、外壁用下地構造は、上下ランナに複数の金属製下地材（例えば、金属製四角筒）を所定間隔で建て込んで構成するのが通例であるが、金属製下地材のランナの延設方向へのフレを防止して下地構造の強度を上げるために、これらの金属製下地材に対してフレ止め部材を貫通支持することとなっている。
【０００４】
上記した外壁用下地構造に対して、一定の大きさを持ったパネルとパネルとを組み合わせて外壁を仕上げるパネル工法は、工期の短縮、工事費の低減等の多くの特徴を持っている。
【発明が解決しようとする課題】
【０００５】
ところが、従来の外壁用下地構造においては、前記フレ止め部材の端部は、固定されることなく、フリー状態とされていたため、下地構造の強度が十分でなく、パネルを貼設する際に不安定だったり、出来上がった外壁の堅牢性に問題があったりしていた。
【０００６】
本願発明は、上記の点に鑑みてなされたもので、下地構造を構成する下地構成部材（例えば、フレ止め部材）の端部を建造物用構造体に簡単且つ強固に固定し得る固定構造を提供することを目的とするものである。
【課題を解決するための手段】
【０００７】
請求項１の発明では、上記課題を解決するための手段として、下地構造を構成する下地構成部材３の端部３ａを建造物用構造体４に固定するための下地構成部材の建造物用構造体への固定構造を、前記下地構成部材３の端部３ａを抱持する一対の抱持部７ａ，７ａと該抱持部７ａ，７ａを連結するとともに前記下地構成部材３の端部３ａに対して固定される連結部７ｂとからなり、前記各抱持部７ａに切欠溝８をそれぞれ形成してなる断面コ字状の固定具本体７と、前記建造物用構造体４に対して固着され、前記切欠溝８，８への挿入により前記下地構成部材３の端部３ａを固定具本体７に押し付ける支持板９とによって構成している。
【０００８】
上記のように構成したことにより、下地構成部材３の端部３ａを固定具本体７で抱持し、該固定具本体７の抱持部７ａ，７ａに形成された切欠溝８，８に対して建造物用構造体４に固着された支持板９を挿入すれば、該支持板９によって下地構成部材３の端部３ａが固定具本体７に押し付けられることとなる。この状態のもとに固定具本体７の連結部７ｂを下地構成部材３の端部３ａに対してビス１１等により固定すると、下地構成部材３の端部３ａが建造物用構造体４に対して簡単且つ強固に固定されることとなる。
【０００９】
請求項２の発明におけるように、請求項１記載の下地構成部材の建造物用構造体への固定構造において、前記各切欠溝８を、一端が開放され且つ前記連結部７ｂと略平行な導入溝部８ａと、該導入溝部８ａに連続して前記連結部７ｂ側へ傾斜した傾斜溝部８ｂとによって構成した場合、導入溝部８ａと連結部７ｂとの間隔より小さい寸法の下地構成部材３であっても、支持板９を、導入溝部８ａを越えて傾斜溝部８ｂに挿入することにより、下地構成部材３の端部３ａを固定具本体７に押し付けることができることとなり、寸法違いのものに対する対応性が向上する。
【００１０】
請求項３の発明におけるように、請求項１および２のいずれか一項記載の下地構成部材の建造物用構造体への固定構造において、前記各抱持部７ａに、前記切欠溝８を囲む補強用ビード１０をそれぞれ形成した場合、各抱持部７ａの剛性が強化されるところから、下地構成部材端部３ａと建造物用構造体４との結合強度が向上することとなる。
【００１１】
請求項４の発明におけるように、請求項１、２および３のいずれか一項記載の下地構成部材の建造物用構造体への固定構造において、前記下地構成部材３を、外壁用下地構造を構成すべく立設された多数の金属製四角筒２，２・・に対して貫通した状態で固定されるフレ止め部材とした場合、金属製四角筒２，２・・を用いた外壁用下地構造体におけるフレ止め部材３の端部３ａが簡単且つ強固に固定されることとなり、下地構造の堅牢性が大幅に向上することとなる。
【発明の実施の形態】
【００１２】
以下、添付の図面を参照して、本願発明の好適な実施の形態について詳述する。
【００１３】
この固定構造Ａは、図１ないし図３に示すように、外壁用下地構造を構成するに当たって、ランナ１に対して建て込まれる複数の金属製下地材２，２・・のフレ止めを行うべくこれらの金属製下地材２，２・・に対して貫通支持されるチャンネル形状のフレ止め部材３の端部３ａを建造物用構造体であるＨ型鋼４に対して固定するために使用されるものである。この場合、前記ランナ１は、図示していないが、上下に配設され、金属製下地材２としては金属製四角筒が採用されている。図１において、符号５はフレ止め部材３を金属製四角筒２に固定するための係止片、６は外壁用板材、Ｂは金属製四角筒２の下端をランナ１に固定するための固定金具である。
【００１４】
前記固定構造Ａは、図３ないし図５に示すように、前記フレ止め部材３の端部３ａを抱持する一対の抱持部７ａ，７ａと該抱持部７ａ，７ａを連結するとともに前記フレ止め部材３の端部３ａに対して固定される連結部７ｂとからなり、前記抱持部７ａ，７ａには切欠溝８，８がそれぞれ形成されている断面コ字状の固定具本体７と、前記Ｈ型鋼４に対して固着され、前記切欠溝８，８への挿入により前記フレ止め部材３の端部３ａを固定具本体７に押し付ける支持板９とによって構成されている。
【００１５】
前記各切欠溝８は、一端が開放され且つ前記連結部７ｂと略平行な導入溝部８ａと、該導入溝部８ａに連続して前記連結部７ｂ側へ傾斜した傾斜溝部８ｂとによって構成されている。
【００１６】
また、前記各抱持部７ａには、前記切欠溝８を囲む補強用ビード１０がそれぞれ形成されている。
【００１７】
本実施の形態においては、前記支持板９は、水平部９ａと垂直部９ｂとからなるＬ字状部材からなっていて、水平部９ａが前記切欠溝８，８に挿入されることとなっており、前記Ｈ型鋼４に対して溶接により固定されている。
【００１８】
上記のように構成された固定構造Ａを用いて、フレ止め部材３の端部３ａをＨ型鋼４に固定する際の手順を説明する。
【００１９】
フレ止め部材３の端部３ａを固定具本体７で抱持し、該固定具本体７の抱持部７ａ，７ａに形成された切欠溝８，８に対してＨ型鋼４に溶接により固着された支持板９の水平部９ａを挿入すれば、該支持板水平部９ａによってフレ止め部材３の端部３ａが固定具本体７に押し付けられることとなる。この状態のもとに固定具本体７の連結部７ｂをフレ止め部材３の端部３ａに対してビス１１により固定すると、フレ止め部材３の端部３ａがＨ型鋼４に対して簡単且つ強固に固定されることとなる。
【００２０】
しかも、前記各切欠溝８を、一端が開放され且つ前記連結部７ｂと略平行な導入溝部８ａと、該導入溝部８ａに連続して前記連結部７ｂ側へ傾斜した傾斜溝部８ｂとによって構成したことにより、導入溝部８ａと連結部７ｂとの間隔より小さい寸法の下地構成部材３であっても、支持板９を、導入溝部８ａを越えて傾斜溝部８ｂに挿入することにより、下地構成部材３の端部３ａを固定具本体７に押し付けることができることとなっており、寸法違いのものに対する対応性が向上する。
【００２１】
また、前記各抱持部７ａに、前記切欠溝８を囲む補強用ビード１０をそれぞれ形成したことにより、各抱持部７ａの剛性が強化されることとなり、固定金具による下地構成部材端部３ａと建造物用構造体４との結合強度が向上する。
【００２２】
また、前記下地構成部材３を、外壁用下地構造を構成すべく立設された多数の金属製四角筒２，２・・に対して貫通した状態で固定されるフレ止め部材としたことにより、金属製四角筒２，２・・を用いた外壁用下地構造体におけるフレ止め部材３の端部３ａが簡単且つ強固に固定されることとなり、下地構造の堅牢性が大幅に向上する。
【００２３】
なお、上記実施の形態においては、建造物用構造体としてＨ型鋼を用いたものについて説明したが、建造物用構造体としては、角型鋼等の他の形状のものを用いることもできる。
【発明の効果】
【００２４】
請求項１の発明によれば、下地構造を構成する下地構成部材３の端部３ａを建造物用構造体４に固定するための下地構成部材の建造物用構造体への固定構造を、前記下地構成部材３の端部３ａを抱持する一対の抱持部７ａ，７ａと該抱持部７ａ，７ａを連結するとともに前記下地構成部材３の端部３ａに対して固定される連結部７ｂとからなり、前記各抱持部７ａに切欠溝８をそれぞれ形成してなる断面コ字状の固定具本体７と、前記建造物用構造体４に対して固着され、前記切欠溝８，８への挿入により前記下地構成部材３の端部３ａを固定具本体７に押し付ける支持板９とによって構成して、下地構成部材３の端部３ａを固定具本体７で抱持し、該固定具本体７の抱持部７ａ，７ａに形成された切欠溝８，８に対して建造物用構造体４に固着された支持板９を挿入することにより、該支持板９によって下地構成部材３の端部３ａが固定具本体７に押し付けられるようにしたので、下地構成部材３の端部３ａが建造物用構造体４に対して簡単且つ強固に固定されることとなり、下地構造の堅牢性を向上させることができるという効果がある。
【００２５】
請求項２の発明におけるように、請求項１記載の下地構成部材の建造物用構造体への固定構造において、前記各切欠溝８を、一端が開放され且つ前記連結部７ｂと略平行な導入溝部８ａと、該導入溝部８ａに連続して前記連結部７ｂ側へ傾斜した傾斜溝部８ｂとによって構成した場合、導入溝部８ａと連結部７ｂとの間隔より小さい寸法の下地構成部材３であっても、支持板９を、導入溝部８ａを越えて傾斜溝部８ｂに挿入することにより、下地構成部材３の端部３ａを固定具本体７に押し付けることができることとなり、寸法違いのものに対する対応性が向上する。
【００２６】
請求項３の発明におけるように、請求項１および２のいずれか一項記載の下地構成部材の建造物用構造体への固定構造において、前記各抱持部７ａに、前記切欠溝８を囲む補強用ビード１０をそれぞれ形成した場合、各抱持部７ａの剛性が強化されるところから、下地構成部材端部３ａと建造物用構造体４との結合強度が向上することとなる。
【００２７】
請求項４の発明におけるように、請求項１、２および３のいずれか一項記載の固定金具において、前記下地構成部材３を、外壁用下地構造を構成すべく立設された多数の金属製四角筒２，２・・に対して貫通した状態で固定されるフレ止め部材とした場合、金属製四角筒２，２・・を用いた外壁用下地構造体におけるフレ止め部材３の端部３ａが簡単且つ強固に固定されることとなり、下地構造の堅牢性が大幅に向上することとなる。
【図面の簡単な説明】
【図１】  本願発明の実施の形態にかかる下地構成部材の建造物用構造体への固定構造の使用例を示す要部斜視図である。
【図２】  本願発明の実施の形態にかかる下地構成部材の建造物用構造体への固定構造の使用例を示す要部平面図である。
【図３】  本願発明の実施の形態にかかる下地構成部材の建造物用構造体への固定構造の使用例を示す要部正面図である。
【図４】  本願発明の実施の形態にかかる下地構成部材の建造物用構造体への固定構造の使用例を示す要部拡大斜視図である。
【図５】  本願発明の実施の形態にかかる下地構成部材の建造物用構造体への固定構造を示す拡大斜視図である。
【符号の説明】
２は金属製四角筒、３は下地構成部材（フレ止め部材）、３ａは端部、４は建造物用構造体（Ｈ型鋼）、７は固定具本体、７ａは抱持部、７ｂは連結部、８は切欠溝、８ａは導入溝部、８ｂは傾斜溝部、９は支持板、１０は補強用ビード、１１はビス。
【図１】
0004683757.tif 000002
【図２】
0004683757.tif 000003
【図３】
0004683757.tif 000004
【図４】
0004683757.tif 000005
【図５】
0004683757.tif 000006